(57)【特許請求の範囲】
【請求項１】
体内摂取製品を取り扱う製造工場に出没する虞のある複数種の害虫に係わる害虫情報を備える記憶部と、
前記記憶部から検索条件に基づいて関連のある害虫を割り出し自在な第一検索手段と、
前記検索条件を受け付ける第一受付手段とを備え、
前記害虫情報を構成するに、少なくとも、各害虫が出没する虞のある業種名、各害虫が出没する虞のある環境内容、各害虫が出没する虞のある地方名、各害虫の名称、及び、各害虫からの防虫対策を、各害虫と関連づけて設けてあり、
前記第一受付手段を構成するに、業種名、環境内容、地方名、及び、害虫名のうちの少なくとも一つを前記検索条件として選択自在に設けてあり、
前記第一検索手段により割り出される害虫のうちから少なくとも一つを指定自在に構成してある第二受付手段を備え、
その第二受付手段により指定される害虫に関して、前記記憶部から少なくとも前記防虫対策を割り出し自在に構成してある第二検索手段を備え、
前記記憶部から、前記検索条件に関連する総合防虫対策がまとめられている防虫レポートを割り出し自在に構成してある第三検索手段を備える情報処理装置。
【請求項２】
前記第二検索手段は、前記指定された害虫に関して、前記体内摂取製品への製品侵入経路を割り出し自在に構成してある請求項１記載の情報処理装置。
【請求項３】
前記第二検索手段は、前記指定された害虫に関して、前記製造工場への工場侵入経路を割り出し自在に構成してある請求項１又は２記載の情報処理装置。
【請求項４】
前記第二検索手段は、前記指定された害虫に関して、発生場所を割り出し自在に構成してある請求項１〜３の何れか１項に記載の情報処理装置。
【請求項５】
前記第二検索手段は、前記指定された害虫に関して、その害虫が加害する虞のある被害製品を割り出し自在に構成してある請求項１〜４の何れか１項に記載の情報処理装置。
【請求項６】
前記第二検索手段は、前記指定された害虫に関して、その害虫が加害する虞のある被害業種を割り出し自在に構成してある請求項１〜５の何れか１項に記載の情報処理装置。
【請求項７】
前記第二検索手段は、前記指定された害虫に関して、前記体内摂取製品への製品混入頻度を割り出し自在に構成してある請求項１〜６の何れか１項に記載の情報処理装置。
【請求項８】
前記第二検索手段は、前記指定された害虫に関して、病害性を割り出し自在に構成してある請求項１〜７の何れか１項に記載の情報処理装置。
【請求項９】
前記第二検索手段は、前記指定された害虫に関して、前記体内摂取製品の包装材に対する穿孔性を割り出し自在に構成してある請求項１〜８の何れか１項に記載の情報処理装置。
【請求項１０】
前記第二検索手段は、前記指定された害虫に関して、生態を割り出し自在に構成してある請求項１〜９の何れか１項に記載の情報処理装置。
【請求項１１】
体内摂取製品を取り扱う製造工場に出没する虞のある複数種の害虫に係わる害虫情報として、少なくとも、各害虫が出没する虞のある業種名、各害虫が出没する虞のある環境内容、各害虫が出没する虞のある地方名、各害虫の名称、及び、各害虫からの防虫対策が、各害虫と関連づけて記録されていると共に、
前記害虫情報から検索条件に基づいて関連のある害虫を割り出し自在な第一検索処理と、
前記検索条件として、業種名、環境内容、地方名、及び、害虫名のうちの少なくとも一つを選択自在に受け付ける第一受付処理と、
前記第一検索処理により割り出される害虫のうちから少なくとも一つを指定自在に構成してある第二受付処理と、
その第二受付処理により指定される害虫に関して、少なくとも前記防虫対策を割り出し自在に構成してある第二検索処理と、
前記検索条件に関連する総合防虫対策がまとめられている防虫レポートを割り出し自在に構成してある第三検索処理とをコンピュータに実行させるプログラムが、コンピュータ読み取り可能な状態で記録されていることを特徴とする記録媒体。
【発明の詳細な説明】
【０００１】
【発明の属する技術分野】
本発明は、体内摂取製品を取り扱う製造工場に出没する虞のある複数種の害虫に係わる害虫情報に関する情報処理を含む処理を行う情報処理装置、及び、かかる害虫情報を含む情報が少なくとも記録されている記録媒体に関する。
【０００２】
【従来の技術】
いわゆる体内摂取製品は、最終的には、生体に摂取されその生体内へ摂り込まれるので、かかる体内摂取製品を取り扱う製造工場の場合、十分な衛生管理を行う必要があり、例えば、製造工場内に害虫が出没したり、体内摂取製品に害虫が混入したりすることのないようにすると共に、万一製造工場内に害虫が出没したときには、早急にかかる害虫を製造工場内から排除するような衛生管理が行われている。
そして、このような衛生管理を行うにあたっては、少なくとも体内摂取製品を取り扱う製造工場に出没する虞のある複数種の害虫についての害虫情報が必要となるが、従来、かかる害虫情報は、害虫について詳しい知識を有する人や、市場にて販売されている書籍や雑誌等の情報源から入手されている。
【０００３】
【発明が解決しようとする課題】
このため、衛生管理を行うにあたって本当に必要となる的確な情報を得ることができる保証はなく、また、かかる情報を得ることができたとしても、迅速に得難く、製造工場に適した衛生管理を迅速にかつ確実に実行し難いという問題がある。
本発明は、上記実情に鑑みてなされたものであって、その目的は、害虫に係わる害虫情報のうち必要となる情報を、迅速にかつ確実に得ることができる情報処理装置及び記録媒体を提供するところにある。
【０００４】
【課題を解決するための手段】
請求項１記載の発明の特徴構成は、図１〜５に例示するごとく、体内摂取製品を取り扱う製造工場に出没する虞のある複数種の害虫に係わる害虫情報を備える記憶部４と、前記記憶部４から検索条件に基づいて関連のある害虫１０を割り出し自在な第一検索手段７と、前記検索条件を受け付ける第一受付手段５とを備え、前記害虫情報を構成するに、少なくとも、各害虫が出没する虞のある業種名、各害虫が出没する虞のある環境内容、各害虫が出没する虞のある地方名、各害虫の名称、及び、各害虫からの防虫対策を、各害虫と関連づけて設けてあり、前記第一受付手段５を構成するに、業種名、環境内容、地方名、及び、害虫名のうちの少なくとも一つを前記検索条件１１・１２・１３・１４として選択自在に設けてあり、前記第一検索手段７により割り出される害虫のうちから少なくとも一つを指定自在に構成してある第二受付手段６を備え、その第二受付手段６により指定される害虫に関して、前記記憶部４から少なくとも前記防虫対策を割り出し自在に構成してある第二検索手段８を備え、前記記憶部４から、前記検索条件１１・１２・１３・１４に関連する総合防虫対策がまとめられている防虫レポートを割り出し自在に構成してある第三検索手段９を備える情報処理装置にある。
【０００５】
尚、本発明において、体内摂取製品とは、人類や畜類等の生体内に摂取される各種製品を意味する。
【０００７】
請求項２記載の発明の特徴構成は、図６に例示するごとく、前記請求項１記載の特徴構成に加えて、前記第二検索手段８は、前記指定された害虫に関して、前記体内摂取製品への製品侵入経路を割り出し自在に構成してあるところにある。
【０００８】
請求項３記載の発明の特徴構成は、図６に例示するごとく、前記請求項１又は２記載の特徴構成に加えて、前記第二検索手段８は、前記指定された害虫に関して、前記製造工場への工場侵入経路を割り出し自在に構成してあるところにある。
【０００９】
請求項４記載の発明の特徴構成は、図６に例示するごとく、前記請求項１〜３の何れか１項に記載の特徴構成に加えて、前記第二検索手段８は、前記指定された害虫に関して、発生場所を割り出し自在に構成してあるところにある。
【００１０】
請求項５記載の発明の特徴構成は、図６に例示するごとく、前記請求項１〜４の何れか１項に記載の特徴構成に加えて、前記第二検索手段８は、前記指定された害虫に関して、その害虫が加害する虞のある被害製品を割り出し自在に構成してあるところにある。
【００１１】
請求項６記載の発明の特徴構成は、図６に例示するごとく、前記請求項１〜５の何れか１項に記載の特徴構成に加えて、前記第二検索手段８は、前記指定された害虫に関して、その害虫が加害する虞のある被害業種を割り出し自在に構成してあるところにある。
【００１２】
請求項７記載の発明の特徴構成は、図６に例示するごとく、前記請求項１〜６の何れか１項に記載の特徴構成に加えて、前記第二検索手段８は、前記指定された害虫に関して、前記体内摂取製品への製品混入頻度を割り出し自在に構成してあるところにある。
【００１３】
請求項８記載の発明の特徴構成は、図６に例示するごとく、前記請求項１〜７の何れか１項に記載の特徴構成に加えて、前記第二検索手段８は、前記指定された害虫に関して、病害性を割り出し自在に構成してあるところにある。
【００１４】
請求項９記載の発明の特徴構成は、図６に例示するごとく、前記請求項１〜８の何れか１項に記載の特徴構成に加えて、前記第二検索手段８は、前記指定された害虫に関して、前記体内摂取製品の包装材に対する穿孔性を割り出し自在に構成してあるところにある。
【００１５】
請求項１０記載の発明の特徴構成は、図６に例示するごとく、前記請求項１〜９の何れか１項に記載の特徴構成に加えて、前記第二検索手段８は、前記指定された害虫に関して、生態を割り出し自在に構成してあるところにある。
【００１８】
請求項１１記載の発明の特徴構成は、体内摂取製品を取り扱う製造工場に出没する虞のある複数種の害虫に係わる害虫情報として、少なくとも、各害虫が出没する虞のある業種名、各害虫が出没する虞のある環境内容、各害虫が出没する虞のある地方名、各害虫の名称、及び、各害虫からの防虫対策が、各害虫と関連づけて記録されていると共に、前記害虫情報から検索条件に基づいて関連のある害虫を割り出し自在な第一検索処理と、前記検索条件として、業種名、環境内容、地方名、及び、害虫名のうちの少なくとも一つを選択自在に受け付ける第一受付処理と、前記第一検索処理により割り出される害虫のうちから少なくとも一つを指定自在に構成してある第二受付処理と、その第二受付処理により指定される害虫に関して、少なくとも前記防虫対策を割り出し自在に構成してある第二検索処理と、前記検索条件に関連する総合防虫対策がまとめられている防虫レポートを割り出し自在に構成してある第三検索処理とをコンピュータに実行させるプログラムが、コンピュータ読み取り可能な状態で記録されているところにある。
【００１９】
尚、上述のように、図面との対照を便利にするために符号を記したが、該記入により本発明は添付図面の構成に限定されるものではない。
【００２０】
〔作用効果〕
請求項１記載の発明の特徴構成によれば、体内摂取製品を取り扱う製造工場に出没する虞のある害虫情報として、少なくとも、各害虫が出没する虞のある業種名、各害虫が出没する虞のある環境内容、各害虫が出没する虞のある地方名、各害虫の名称、及び、各害虫からの防虫対策を、各害虫と関連づけて設けてあるので、各種害虫のうちから、各種体内摂取製品の属する業種、製造工場の立地する近辺の環境内容、製造工場の立地する地方、害虫の名称の何れか一つと関連する害虫について割り出し自在となる。
よって、害虫に係わる害虫情報のうち必要となる情報として、各種体内摂取製品の属する業種・製造工場の立地する近辺の環境内容・製造工場の立地する地方・害虫の名称の何れかと関連する情報について、迅速にかつ確実に得ることができるようになる。このため、例えば業種・環境内容・地方・害虫名により、注意すべき害虫を簡便に知ることができ、かかる割り出された害虫について防虫対策等を行えば良いので、業種毎・環境内容毎・地方・害虫名毎に、より適切な衛生管理を行うことが可能となる。
【００２１】
更に、各検索条件に基づいて割り出された害虫のうち、より詳しい害虫情報を必要とする害虫を夫々指定すれば、その指定した害虫について防虫対策を知ることできる。よって、かかる防虫対策を実施することで、各業種・環境内容・地方・害虫に即した衛生管理を一層確実に行うことが可能となる。
又、適宜選択した検索条件について関連する総合防虫対策がまとめられている防虫レポートを知ることができるので、自分の選択した検索条件において、全般的に如何なる防虫対策を実行すべきかを知ることができ、利便である。更には、業種・環境内容・地方・害虫名に即した総合的な防虫対策を実行し、製造工場における衛生管理状態のレベルを総体的に向上させることができる。
又、適宜選択した検索条件について関連する総合防虫対策がまとめられている防虫レポートを知ることができるので、自分の選択した検索条件において、全般的に如何なる防虫対策を実行すべきかを知ることができ、利便である。更には、業種・環境内容・地方・害虫名に即した総合的な防虫対策を実行し、製造工場における衛生管理状態のレベルを総体的に向上させることができる。
【００２２】
請求項２記載の発明の特徴構成によれば、指定された害虫に関して、体内摂取製品への製品侵入経路（例えば、原材料からの移行、製造工場内での繁殖発生、流通経路での移行、消費者家庭での移行、偶然による移行など）を知ることができるので、何処なる経路で体内摂取製品へ混入する虞があるのかある程度特定することができ、合理的に害虫混入の防止を図ることができる。また、万一害虫が混入した場合には、その侵入経路を特定して、体内摂取製品への害虫混入原因を根本的に解決することも可能となる。
【００２３】
請求項３記載の発明の特徴構成によれば、指定された害虫に関して、製造工場内への侵入経路（例えば、原材料に混入して侵入、運搬資材に混入して侵入、飛来による侵入など）を知ることができるので、製造工場内にてかかる害虫が出没しないように適切な防虫対策を行うことができるようになる。また、万一害虫が侵入した際には、侵入経路を特定することで原因を解明することができるため、再発生を防止することができるようになる。
【００２４】
請求項４記載の発明の特徴構成によれば、指定された害虫が発生し易い発生場所を知ることができるので、かかる発生場所については注意して管理し、またそのような発生場所ができないように注意することで、害虫の発生を抑制することができるようになる。
【００２５】
請求項５記載の発明の特徴構成によれば、指定された害虫が加害する虞のある被害製品を知ることができるので、特にかかる被害製品を製造する製造工場においては、その指定した害虫について防虫対策の必要性があることがわかり、利便である。
【００２６】
請求項６記載の発明の特徴構成によれば、指定された害虫が加害する虞のある被害業種を知ることができるので、特にかかる被害業種に属する体内摂取製品を製造する製造工場においては、その指定した害虫について防虫対策の必要性があることがわかり、利便である。
【００２７】
請求項７記載の発明の特徴構成によれば、指定された害虫に関して、体内摂取製品への製品混入頻度を知ることができるため、防虫対策をするにあたってどの程度の対策の必要性があるのかの目安となり、利便である。
【００２８】
請求項８記載の発明の特徴構成によれば、指定された害虫に関して、病害性を知ることができ、かかる害虫による生体へ害を及ぼされる可能性の有無を知ることができるのは勿論、その影響についてもわかるため、万一生体に何らかの影響が及ぼされたとしても、早急に対処することができる。
【００２９】
請求項９記載の発明の特徴構成によれば、指定された害虫に関して、体内摂取製品の包装材に対する穿孔性を知ることができるため、包装材の材質・厚みの決定に利便である。
【００３０】
請求項１０記載の発明の特徴構成によれば、指定された害虫に関して、その生態について知ることができるため、一層かかる害虫に適した防虫対策を実行し、確実に衛生管理を行うことができるようになる。
【００３３】
請求項１１記載の発明の特徴構成によれば、かかる記録媒体には、体内摂取製品を取り扱う製造工場に出没する虞のある複数種の害虫に係わる害虫情報として、少なくとも、各害虫が出没する虞のある業種名、各害虫が出没する虞のある環境内容、各害虫が出没する虞のある地方名、各害虫の名称、及び、各害虫からの防虫対策が、各害虫と関連づけて記録されていると共に、
前記害虫情報から検索条件に基づいて関連のある害虫を割り出し自在な第一検索処理と、前記検索条件として、業種名、環境内容、地方名、及び、害虫名のうちの少なくとも一つを選択自在に受け付ける第一受付処理と、前記第一検索処理により割り出される害虫のうちから少なくとも一つを指定自在に構成してある第二受付処理と、その第二受付処理により指定される害虫に関して、少なくとも前記防虫対策を割り出し自在に構成してある第二検索処理と、前記検索条件に関連する総合防虫対策がまとめられている防虫レポートを割り出し自在に構成してある第三検索処理とをコンピュータに実行させるプログラムが、コンピュータ読み取り可能な状態で記録されているので、特定の情報処理装置に限定されることなく、かかる記録媒体を適宜コンピュータにて読み取り可能な情報処理装置であれば、かかる処理を実行させることができ、これまで上述した作用効果を得ることも可能となる。
【００３４】
【発明の実施の形態】
以下、本発明の実施の形態を図面に基づいて説明する。本発明に係る情報処理装置により、害虫に係わる害虫情報のうちから必要とされる情報を検索抽出する害虫情報検索処理の一例として、ここでは、製造工場から衛生管理の依頼を受けている衛生管理センターにて管理人が、製造工場からの問い合わせ情報に基づいて防虫対策等を提案する場合を取り上げて、説明する。
【００３５】
前記衛生管理センターには、本発明に係る情報処理装置１の一例として、汎用コンピュータが備えられており、この情報処理装置１には、後で詳しく説明される害虫情報検索処理において要求される種々の機能をハードウエアとソフトウエアによって構築されている。そして、図１に示す如く、前記情報処理装置１には、前記管理人を通じて各種情報の入力を受け持つ入力装置２としてのキーボードやマウスや、管理人を補佐するために必要な情報を表示する表示装置３としてのモニタなどが備えられている。
【００３６】
それでは、害虫情報検索処理を実行するための機能的構成を、図２の機能ブロック図を用いて説明すると、前記情報処理装置１は、体内摂取製品を取り扱う製造工場に出没する虞のある複数種の害虫に係わる害虫情報を備える記憶部４と、前記記憶部４から検索条件に基づいて関連のある害虫を割り出し自在な第一検索手段７と、前記検索条件を受け付ける第一受付手段５と、前記第一検索手段７により割り出される害虫のうちから少なくとも一つを指定自在に構成してある第二受付手段６と、その第二受付手段６により指定される害虫に関して前記記憶部４から少なくとも防虫対策を割り出し自在に構成してある第二検索手段８と、前記記憶部４から前記検索条件に関連する総合防虫対策がまとめられている防虫レポートを割り出し自在に構成してある第三検索手段９とを備えており、かかる害虫情報検索処理を補佐する手段として、前記入力装置２や前記表示装置３が設けてある。
【００３７】
前記記憶部４は、例えばハードディスクドライブ装置からなりその内部（ハードディスク）には、前記害虫情報として、害虫夫々について、出没する虞のある業種名、出没する虞のある環境内容、出没する虞のある地方名、名称、防虫対策（原材料からの移行防止対策、搬入材料からの移行防止対策、製造工場内での繁殖防止対策、製造工場内への移行対策、駆除対策等）、分類名（□□科等）、体長（成虫時、蛹時、幼虫時、卵時などの大きさ）、注意すべき重要度（◎・○・△）、体内摂取製品混入頻度（最も高い、きわめて高い、かなり高い、やや高い、あまり多くない、低い等）、病害性（有無等）、不快感（大、中、小等）、主な侵入経路（搬入、製造工場内繁殖、排水系繁殖、飛来、歩行等）、体内摂取製品への侵入経路（原材料からの移行、製造工場内繁殖等）、製造工場への侵入経路（窓、出入口等）、被害製品、発生場所（林地、水田、ゴミ溜め等）、穿孔性、生態についての情報が関連づけてある。更に、記憶部４には、各種業種、各環境内容、各地方、各害虫名（例えば、ゴキブリ、ハエ等のキーワード）夫々について、総合的な防虫対策内容がまとめられてある防虫レポートが備えてある。
【００３８】
上記出没する虞のある業種名、出没する虞のある環境内容、出没する虞のある地方名、及び、名称について、以下により詳しく説明する。
【００３９】
前記業種名として、当該実施形態では、1)精穀・製粉・製麺業、2)製パン・製菓業、3)豆製品製造業（豆腐、餡等）、4)乾燥植物食品製造業（乾燥野菜等）、5)糖類製造業、6)畜産・水産食品製造業（肉、卵、魚等）、7)乳業、8)清涼飲料水製造業（果汁等）、9)野菜・果実缶瓶詰・漬物製造業、10) 酒類製造業、11) 調味料製造業（味噌、醤油、ソース等）、12) 動植物油脂製造業、13) 惣菜製造業、14) たばこ製造業、15) 飼料製造業、16) 医薬品製造業（製薬・漢方薬系）について夫々、各害虫との関連づけが行われている。
また、前記環境内容としては、当該実施形態では、製造工場の立地する付近の環境内容として、1)郊外・山林・草地・畑地等（緑地に富む環境）の近傍、2)水環境近傍、3)畜産施設近傍、4)ゴミ処理場近傍について夫々、各害虫との関連づけが行われている。更には、2)水環境近傍については、より詳細に、2a) 海岸（特に自然海岸）、2b) 湖沼、2c) 河川、2d) 池（人工池・養魚池含む）、2e) 下水処理場、2f) 水田について夫々、各害虫との関連づけが行われている。
そして、前記地方名としては、当該実施形態では、日本国内における各害虫の分布する地方として、1)全国、2)北海道、3)東北、4)関東、5)北陸、6)中部、7)近畿、8)山陰、9)中国、10) 四国、11) 九州、12) 沖縄について夫々、各害虫との関連づけが行われている。
また、前記名称としては、当該実施形態では、1)和名、2)別名、3)学名、4)英名について夫々、各害虫との関連づけが行われている。
【００４０】
それでは、次に、図３〜７を参照しながら、かかる害虫情報検索処理について、より具体的に説明する。
【００４１】
害虫情報を検索するにあたっては、まず、第一受付手段５による検索条件の待ち受け状態となり、当該実施形態においては、図３に示す如く、表示装置３としてのモニターに、検索メニューキーとして、［業種名から害虫情報を検索］１１、［環境内容から害虫情報を検索］１２、［地方名から害虫情報を検索］１３、［害虫名から害虫情報を検索］１４、［全データの表示］１５が表示される。そして、入力装置２としてのキーボードやマウスによりかかる検索メニューキーを選択確定することにより、第一検索手段７により記憶部４から必要となる情報を抽出すべき検索条件１１〜１５を選択でき、管理人は、製造工場からの問い合わせ情報に基づいて、適合する検索条件を選択し、入力手段２により該当する検索メニューキーを選択し（例えば、マウスでクリックする）、検索を行う。
【００４２】
例えば、［業種名から害虫情報を検索］１１を選択すると、図４に例示する如く、ポップアップメニューとして構成される業種名項目として、各種業種名、すなわち1)精穀・製粉・製麺業、2)製パン・製菓業、3)豆製品製造業、4)乾燥植物食品製造業、5)糖類製造業、6)畜産・水産食品製造業、7)乳業、8)清涼飲料水製造業、9)野菜・果実缶瓶詰・漬物製造業、10) 酒類製造業、11) 調味料製造業、12) 動植物油脂製造業、13) 惣菜製造業、14) たばこ製造業、15) 飼料製造業、16) 医薬品製造業（製薬・漢方薬系）が、ポップアップメニューとして表示される。よって、管理人は、図４に示す如く、この表示される各種業種名のうちから、製造工場からの問い合わせ情報に基づいて適合する業種名を入力手段により選択し、そして、検索確定キー１６を選択すると、前記記憶部４から、選択した業種名に関連のある害虫が割り出され、当該実施形態では、図５に示す如く、その割り出された害虫１０の和名からなる害虫リストが表示されると共に、各害虫１０に関連づけされている重要度に関する項目及び製造工場への侵入経路に関する項目が、夫々表示される。
【００４３】
同様に、［環境内容から害虫情報を検索］１２を選択した場合には、1)郊外・山林・草地・畑地等（緑地に富む環境）の近傍、2)水環境近傍〔2a) 海岸（特に自然海岸）、2b) 湖沼、2c) 河川、2d) 池（人工池・養魚池含む）、2e) 下水処理場、2f) 水田〕、3)畜産施設近傍、4)ゴミ処理場近傍のうちから、製造工場からの問い合わせ情報に基づいて適合する環境内容を入力手段２により選択すれば、前記記憶部４から、選択した環境内容に関連のある害虫が割り出され、その割り出された害虫の和名からなる害虫リストが表示される。
【００４４】
また、［地方名から害虫情報を検索］１３を選択した場合には、1)全国、2)北海道、3)東北、4)関東、5)北陸、6)中部、7)近畿、8)山陰、9)中国、10) 四国、11) 九州、12) 沖縄のうちから、製造工場からの問い合わせ情報に基づいて適合する地方名を入力手段２により選択すれば、前記記憶部４から、選択した地方名に関連のある害虫が割り出され、その割り出された害虫の和名からなる害虫リストが表示される。
【００４５】
そして、［害虫名から害虫情報を検索］１４を選択した場合には、更に入力手段２により製造工場からの問い合わせ情報に基づいて適合するキーワード（例えば、ゴキブリ、ハエ、チョウバエ、チャタテ等）を入力すると、選択したキーワードに関連のある害虫が割り出され、その割り出された害虫の和名からなる害虫リストが表示される。
【００４６】
尚、［全データの表示］１５を選択した場合には、記憶部４に備えられている全ての害虫について、和名が列挙された害虫リストが表示される。
【００４７】
このようにして、管理人は、製造工場からの問い合わせ情報に基づいて注意すべき害虫を割り出すことができるため、製造工場に対して、迅速にかつ確実に、注意すべき害虫を教示することができ利便であると共に、製造工場において、業種毎・環境内容毎・地方毎・害虫名毎に、より適切な衛生管理を行うことが可能となる。
しかも、上述の当該実施形態のように、その割り出された害虫夫々について、注意すべき重要度の程度（例えば、◎（特に注意すべき）、○（注意すべき）、△（やや注意すべき）など）や製造工場への侵入経路もわかるため、製造工場においては、防虫対策の的確な指標となり、効率良く且つ的確に衛生管理を行うことも可能となるのである。因みに、当該実施形態の如く、害虫名と共に害虫情報として自動的に重要度や製造工場への侵入経路が割り出されるものに限らず、第一受付手段５にて業種名を選択する際に、その他の必要とする害虫情報に係わる情報項目について適宜選択可能に構成しておけば、一層必要とする情報を迅速に入手することができ、効率良く且つ的確に衛生管理を行うことが可能となる。
【００４８】
そして、当該実施形態においては、引き続いて、更に詳しい情報を割り出すことができる。すなわち、図５に示す如く、上述のようにして表示装置３に害虫リストが表示される状態は、第二受付手段６による検索条件待ち受け状態も兼ねており、表示される害虫名夫々に対応して、詳細検索キー１７が表示されており、管理人は、製造工場からの問い合わせ情報に基づき必要に応じて、入力手段２により詳細検索キー１７を指定すれば、第二検索手段８により、かかる指定された害虫についての詳細情報が、記憶部４から割り出される。
【００４９】
前記詳細情報としては、例えば当該実施形態では、図６に示す如く、指定された害虫に関して各種情報が表示され、先述したように記憶部４にて害虫夫々に関連づけしてある情報、名称、防虫対策、分類名、体長、注意すべき重要度、体内摂取製品混入頻度、病害性、不快感、主な侵入経路、体内摂取製品への侵入経路、製造工場への侵入経路、被害製品、発生場所、穿孔性、及び生態につての情報が、表示される。
この為、かかる割り出された情報を管理人が製造工場へ伝えることで、製造工場においては、かかる詳細情報に示された各種情報を参考にして各害虫に即した防虫対策・駆除対策等による衛生管理を実行し、一層確実な衛生状態を維持することが可能となるのである。
【００５０】
また、当該実施形態においては、第一受付手段５により検索条件が選択された際には、記憶部４からは、第一検索手段７による情報の割り出しと共に、次のような第三検索手段９による情報の割り出しも行われる。つまり、前記第三検索手段９により、検索キー１１〜１４で選択される検索条件に関連する総合的な防虫対策がまとめられている防虫レポートが割り出されるのである。例えば、［業種名から害虫情報を検索］１１を選択し、業種名として2)製パン・製菓業を選択した場合には、図７に示す如く、製パン・製菓業における総合的な防虫対策がまとめられた防虫レポート１８が、画像装置３に表示される。
よって、管理人が製造工場に対して、かかる防虫レポート１８に関する情報を提供することで、製造工場においては、かかる防虫レポート１８を参考にして、業種・環境内容・地方・害虫名に即した総合的な防虫対策を実行し、製造工場における衛生管理状態のレベルを総体的に向上させることが可能となる。
【００５１】
〔別実施形態〕
本発明に係る実施形態は、上述した形態に限定されるものではなく、その他の実施形態の一例を以下に示す。
〈１〉前記記憶部４は、ハードディスクドライブ装置からなるものに限らず、フロッピーディスクドライブ、ミニディスクドライブ、光磁気ディスクドライブ、デジタルディスクドライブ等の駆動装置からなるものであっても良い。また、前記記憶部４は、情報処理装置１の内部に設けてあっても良く、外部に設けてあってもどちらでも良いのは、いうまでもない。
そして、フロッピーディスク、ミニディスク、光磁気ディスク、ディジタルビデオディスク、その他のユーザによるデータの読み込みが可能な記録媒体に、上述のように構成される害虫情報を備えさせてあっても良い。この場合、各種記録媒体は適宜コンピューター等の情報処理装置にて読み取り可能であるから、適宜必要となる情報を採取でき、上述のような本発明による格別の作用効果を享受することも可能となり、利便である。
因みに、害虫情報としては、先の実施形態で示した各種情報に限らず、少なくとも、各害虫が出没する虞のある業種名、各害虫が出没する虞のある環境内容、各害虫が出没する虞のある地方名、各害虫の名称、及び、各害虫からの防虫対策を、各害虫と関連づけてある情報であれば良く、適宜、必要に応じてその他の情報を備えさせれば良い。
【００５２】
更には、上述のような本発明に係る情報処理装置による害虫情報検索処理を実行可能なプログラムを、各種記録媒体に記録してあっても良い。つまり、情報処理装置を、体内摂取製品を取り扱う製造工場に出没する虞のある複数種の害虫に係わる害虫情報として、少なくとも、各害虫が出没する虞のある業種名、各害虫が出没する虞のある環境内容、各害虫が出没する虞のある地方名、各害虫の名称、及び、各害虫からの防虫対策が、各害虫と関連づけて記録されている記憶手段、前記害虫情報から検索条件に基づいて関連のある害虫を割り出し自在な第一検索手段、前記検索条件として、業種名、環境内容、地方名、及び、害虫名のうちの少なくとも一つを選択自在に受け付ける第一受付手段、として少なくとも機能させるためのプログラムが記録されているコンピュター読み取り可能な記録媒体でも良い。尚、このとき、記録手段としての記憶部は、当該記録媒体により、又は、当該記録媒体とは別個に情報処理装置に備えさせて、設けておいて良い。
この場合、かかる記録媒体を適宜汎用コンピュータ等の情報処理装置にて読み込むことで、特定の情報処理装置に限定されることなく、適宜上述のような情報処理検索処理を行い、本発明による格別の作用効果を享受することも可能となり、利便である。
【００５３】
〈２〉本発明に係る情報処理装置又は記録媒体による害虫情報検索処理は、先の実施形態で説明した如く、既設の製造工場の衛生管理を行う衛生管理センターにおいて利用される形態に限らず、害虫情報が必要とされる各種形態において利用されるものである。例えば、製造工場を建設するにあたって、防虫対策を実行された建物構造にすべく、参考にすることもできる。
また、上述したように、本発明に係る情報処理装置又は記録媒体による害虫情報検索処理を行う情報処理装置は、例示した衛生管理センターに限らず、適宜害虫情報検索処理を行うべき箇所に備えさせれば良く、例えば、既設の製造工場内に備えさせて、害虫が出没した際に製造工場内の人員が害虫情報検索処理をすることができるようにされていても、勿論良い。
【００５４】
〈３〉先の実施形態では、検索メニューキーとして、［業種名から害虫情報を検索］１１、［環境内容から害虫情報を検索］１２、［地方名から害虫情報を検索］１３、［害虫名から害虫情報を検索］１４が表示され、第一受付手段５により、業種名、環境内容、地方名、及び、害虫名のうちの少なくとも一つを検索条件として選択する構成について例示したが、かかる構成に限らず、例えば、検索条件として、業種名、環境内容、地方名、及び、害虫名のうちから二つ以上の検索条件を選択自在にし、複合検索自在に構成してあれば、一層必要となるべき情報を検索することが可能となる。
【００５５】
〈４〉また、第一検索手段７により割り出された各害虫を害虫リストとして表示する際には、先の実施形態で説明したように名称を列挙するものに限らす、例えば、害虫の写真・絵・図等が列挙されるようにしてあってもよく、この場合、例えば、害虫名を知らなくても、害虫の外形や模様等からの害虫の特定が可能となり、利便である。尚、この場合には、記憶部４にて各害虫毎に、害虫の写真・絵・図等が関連付けしてあるのはいうまでもない。
【００５６】
〈５〉更に、第一受付手段５にて、害虫名として単なるキーワードではなく、害虫の正確な名称が指定された際には、自動的に第二受付手段６による検索条件の受け付けが行われたものとみなされ、第一検索手段７だけでなく第二検索手段８による抽出検索が行われ、かかる正確な名称が指定された害虫について詳細情報が割り出されるように構成してあっても良い。
【００５７】
〈６〉そして、第二受付手段６により害虫を指定する際には、先の実施形態で説明したような一つの害虫を指定するものに限らず、一度に複数の害虫を指定可能に構成してあっても良い。
また、第二検索手段８手段により各害虫について詳細情報を割り出しする際に、先の実施形態で説明したようにすべての情報が抽出される構成に限らず、例えば、第二受付手段６が必要とされる抽出項目を選択自在に構成してあり、適宜必要とされる項目に関する情報についてのみ詳細情報として表示されるように構成してあっても良い。
【００５８】
〈７〉尚、これまでの実施形態では、本発明に係る情報処理装置又は記録媒体による害虫情報検索処理の検索条件の指定や割り出された情報を確認する補助装置として、キーボードやマウスからなる入力装置２、モニターからなる表示装置３を例示したが、そのようなものに限らず適宜必要に応じて各種補助装置を設ければ良く、例えば、音声による指定や確認が可能なように、音声認識装置や音声発生装置によるものであっても良い。
尚、複数の情報処理装置により上述のような害虫情報検索処理を行うように構成されていても勿論良い。
【図面の簡単な説明】
【図１】本発明に係る一実施形態の検索画面を示す説明図
【図２】本発明に係る一実施形態の機能ブロック図
【図３】本発明に係る一実施形態の情報検索処理を示す説明図
【図４】本発明に係る一実施形態の情報検索処理を示す説明図
【図５】本発明に係る一実施形態の情報検索処理を示す説明図
【図６】本発明に係る一実施形態の情報検索処理を示す説明図
【図７】本発明に係る一実施形態の情報検索処理を示す説明図
【符号の説明】
１    情報処理装置
４    記憶部
５    第一受付手段
６    第二受付手段
７    第一検索手段
８    第二検索手段
９    第三検索手段
１１，１２，１３，１４，１５  検索条件
１８  防虫レポート
【図１】
0004608116.tif 000002
【図２】
0004608116.tif 000003
【図３】
0004608116.tif 000004
【図４】
0004608116.tif 000005
【図５】
0004608116.tif 000006
【図６】
0004608116.tif 000007
【図７】
0004608116.tif 000008